(57)【特許請求の範囲】
【請求項１】
プリペイド方式の決済用記録媒体に記録された金銭情報を利用した決済を行い当該決済用記録媒体に対して入金機能を有しない決済端末であって、
前記決済用記録媒体に記録された情報を読み書き可能な端末側通信手段と、
前記決済に応じた支払い金額を前記端末側通信手段を利用して前記決済用記録媒体の残高から減額する端末側減額手段と、
前記決済を取り消して払戻すための払戻情報と前記決済に使用した前記決済用記録媒体を特定する特定情報とを払戻用コードとして暗号化してコード化するコード化手段と、
前記払戻用コードを携帯可能な媒体に光学的に読み取り可能に表示する表示手段と、
を備えることを特徴とする決済端末。
【請求項２】
前記決済用記録媒体は、ＩＣカードであることを特徴とする請求項１に記載の決済端末。
【請求項３】
前記表示手段は、前記払戻用コードを、紙媒体に光学的に読み取り可能に印刷して表示することを特徴とする請求項１または２に記載の決済端末。
【請求項４】
前記決済用記録媒体は、表示部を有した前記金銭情報を利用可能な携帯端末であって、
前記表示部は、前記払戻用コードを前記携帯端末で光学的に読み取り可能に表示する前記表示手段として機能することを特徴とする請求項１に記載の決済端末。
【請求項５】
前記払戻用コードを光学的に読み取る端末側読取手段と、
前記端末側読取手段により読み取られた前記払戻用コードを解読することで、前記払戻情報および前記特定情報を取得する端末側解読手段と、
前記端末側減額手段による減額の際に、前記端末側読取手段により前記払戻用コードが読み取られると、前記減額される決済用記録媒体と読み取られた払戻用コードの前記特定情報から特定される決済用記録媒体とが一致する場合に、当該払戻用コードの前記払戻情報に応じた払戻し金額を、前記減額する金額から値引きする端末側値引き手段と、
を備えることを特徴とする請求項１〜４のいずれか一項に記載の決済端末。
【請求項６】
請求項１〜５のいずれか一項に記載の決済端末と前記決済用記録媒体に対して入金機能を有する入金用機器とを有する決済システムであって、
前記入金用機器は、
前記払戻用コードを光学的に読み取る機器側読取手段と、
前記機器側読取手段により読み取られた前記払戻用コードを解読することで、前記払戻情報および前記特定情報を取得する機器側解読手段と、
前記決済用記録媒体に記録された情報を読み書き可能な機器側通信手段と、
前記機器側読取手段により前記払戻用コードが読み取られたときに、当該払戻用コードの前記特定情報から特定される決済用記録媒体に対して、当該払戻用コードの前記払戻情報に応じた払戻し金額を、前記機器側通信手段を利用して入金する入金手段と、
を備えることを特徴とする決済システム。
【請求項７】
請求項１〜５のいずれか一項に記載の決済端末と前記決済用記録媒体に記録された金銭情報を利用した決済を行う決済用機器とを有する決済システムであって、
前記決済用機器は、
前記払戻用コードを光学的に読み取る機器側読取手段と、
前記機器側読取手段により読み取られた前記払戻用コードを解読することで、前記払戻情報および前記特定情報を取得する機器側解読手段と、
前記決済用記録媒体に記録された情報を読み書き可能な機器側通信手段と、
前記決済に応じた支払い金額を前記機器側通信手段を利用して前記決済用記録媒体の残高から減額する機器側減額手段と、
前記機器側減額手段による減額の際に、前記機器側読取手段により前記払戻用コードが読み取られると、前記減額される決済用記録媒体と読み取られた払戻用コードの前記特定情報から特定される決済用記録媒体とが一致する場合に、当該払戻用コードの前記払戻情報に応じた払戻し金額を、前記減額する金額から値引きする機器側値引き手段と、
を備えることを特徴とする決済システム。
【発明の詳細な説明】
【技術分野】
【０００１】
本発明は、決済用記録媒体に記録された金銭情報を利用した決済を行う決済端末および決済システムに関するものである。
【背景技術】
【０００２】
従来、決済用記録媒体（ＩＣカードや携帯電話等）に記録された金銭情報（電子マネー情報等）を利用した決済を行う決済端末および決済システムに関する技術として、下記特許文献１に示す商品販売データ処理装置が知られている。この商品販売データ処理装置では、商品販売データ処理に際して小銭での釣り銭が発生した場合、その釣り銭と同等の金銭価値を有するようにコード化された金券部と通常のレシート部とを有するレシートが発行される。このように発行されるレシートを金券として使用することで、顧客にプリペイドカード等を携帯させる必要なく、小銭の取り扱いを減らしている。
【０００３】
また、下記特許文献２に示す電子マネー決済システムでは、ユーザが携帯電話に所定の操作を行って有効なクーポンの利用することの意思表示をすると、決済端末装置は、この決済処理において携帯電話からクーポン情報を取得して、クーポンを利用した決済処理を行う。そして、決済端末装置が携帯電話に対してクーポンの使用済み通知を行うことで、クーポンが無効化等される。これにより、電子化されたクーポン情報も、紙に印刷されたクーポン券と同様に、使用回数を制限している。
【先行技術文献】
【特許文献】
【０００４】
【特許文献１】特開２００３−０６７８４１号公報
【特許文献２】特開２００７−２８００６５号公報
【発明の概要】
【発明が解決しようとする課題】
【０００５】
ところで、携帯可能な決済端末では、一般的に、盗難等により不正に入手した決済端末を用いた不正入金を回避するために、ＩＣカード等の決済用記録媒体からの引き落としはできても、決済用記録媒体への入金ができない仕様になっていた。しかしながら、ＩＣカード等を用いた決済処理後に購入品の返品に応じた払戻しが必要になる場合や、販売員の誤操作によりＩＣカード等から誤って金額を引き落としてしまう場合がある。このような場合、ＩＣカード等の利用目的が現金の未使用であるにもかかわらず、決済端末に入金機能がないために、やむなくその場は現金で返金しなければならないという問題があった。また、このように現金で返金しない場合でも、入金機能を有する端末装置を備えた店舗等を訪れて、取引レシートを証拠として返金に相当する金額をＩＣカード等に入金しなければならないという問題があった。
【０００６】
上記特許文献１に開示される構成では、バーコード化した値引き券を利用することで現金を使用しないようにしているが、値引き券自体に対して複製対策や顧客情報保護についてはなんら言及されておらず、値引き券の複製や盗難などに関してセキュリティ面で問題がある。また、上記特許文献２に開示される構成は、値引きクーポン(値引き券)を決済用記録媒体として機能する携帯電話において活用する技術であるが、上述したような払戻しが想定されておらず、払戻しに適用するには困難であるという問題がある。
【０００７】
本発明は、上述した課題を解決するためになされたものであり、その目的とするところは、入金機能を有しない決済端末を使用しても、金銭情報を利用した決済後の払戻しに関する不正を抑制し得る決済端末および決済システムを提供することにある。
【課題を解決するための手段】
【０００８】
上記目的を達成するため、請求項１に記載の発明は、プリペイド方式の決済用記録媒体（Ｃ，５０）に記録された金銭情報を利用した決済を行い当該決済用記録媒体に対して入金機能を有しない決済端末（２０）であって、前記決済用記録媒体に記録された情報を読み書き可能な端末側通信手段（４０）と、前記決済に応じた支払い金額を前記端末側通信手段を利用して前記決済用記録媒体の残高から減額する端末側減額手段（２１）と、前記決済を取り消して払戻すための払戻情報と前記決済に使用した前記決済用記録媒体を特定する特定情報とを払戻用コード（Ｑ）として暗号化してコード化するコード化手段（２１）と、前記払戻用コードを携帯可能な媒体（Ｒ）に光学的に読み取り可能に表示する表示手段（２５，５１）と、を備えることを特徴とする。
【０００９】
請求項２に記載の発明は、請求項１に記載の決済端末において、前記決済用記録媒体は、ＩＣカードであることを特徴とする。
【００１０】
請求項３に記載の発明は、請求項１または２に記載の決済端末において、前記表示手段（２５）は、前記払戻用コードを、紙媒体（Ｒ）に光学的に読み取り可能に印刷して表示することを特徴とする。
【００１１】
請求項４に記載の発明は、請求項１に記載の決済端末において、前記決済用記録媒体は、表示部（５１）を有した前記金銭情報を利用可能な携帯端末（５０）であって、前記表示部は、前記払戻用コードを前記携帯端末で光学的に読み取り可能に表示する前記表示手段として機能することを特徴とする。
【００１２】
請求項５に記載の発明は、請求項１〜４のいずれか一項に記載の決済端末において、前記払戻用コードを光学的に読み取る端末側読取手段（３０）と、前記端末側読取手段により読み取られた前記払戻用コードを解読することで、前記払戻情報および前記特定情報を取得する端末側解読手段（２１）と、前記端末側減額手段による減額の際に、前記端末側読取手段により前記払戻用コードが読み取られると、前記減額される決済用記録媒体と読み取られた払戻用コードの前記特定情報から特定される決済用記録媒体とが一致する場合に、当該払戻用コードの前記払戻情報に応じた払戻し金額を、前記減額する金額から値引きする端末側値引き手段（２１）と、を備えることを特徴とする。
【００１３】
請求項６に記載の発明は、請求項１〜５のいずれか一項に記載の決済端末（２０）と前記決済用記録媒体に対して入金機能を有する入金用機器（１１）とを有する決済システム（１０）であって、前記入金用機器は、前記払戻用コードを光学的に読み取る機器側読取手段（１３）と、前記機器側読取手段により読み取られた前記払戻用コードを解読することで、前記払戻情報および前記特定情報を取得する機器側解読手段（１２）と、前記決済用記録媒体に記録された情報を読み書き可能な機器側通信手段（１４）と、前記機器側読取手段により前記払戻用コードが読み取られたときに、当該払戻用コードの前記特定情報から特定される決済用記録媒体に対して、当該払戻用コードの前記払戻情報に応じた払戻し金額を、前記機器側通信手段を利用して入金する入金手段（１２）と、を備えることを特徴とする。
【００１４】
請求項７に記載の発明は、請求項１〜５のいずれか一項に記載の決済端末（２０）と前記決済用記録媒体に記録された金銭情報を利用した決済を行う決済用機器（１１）とを有する決済システム（１０）であって、前記決済用機器は、前記払戻用コードを光学的に読み取る機器側読取手段（１３）と、前記機器側読取手段により読み取られた前記払戻用コードを解読することで、前記払戻情報および前記特定情報を取得する機器側解読手段（１２）と、前記決済用記録媒体に記録された情報を読み書き可能な機器側通信手段（１４）と、前記決済に応じた支払い金額を前記機器側通信手段を利用して前記決済用記録媒体の残高から減額する機器側減額手段（１２）と、前記機器側減額手段による減額の際に、前記機器側読取手段により前記払戻用コードが読み取られると、前記減額される決済用記録媒体と読み取られた払戻用コードの前記特定情報から特定される決済用記録媒体とが一致する場合に、当該払戻用コードの前記払戻情報に応じた払戻し金額を、前記減額する金額から値引きする機器側値引き手段（１２）と、を備えることを特徴とする。
なお、上記各括弧内の符号は、後述する実施形態に記載の具体的手段との対応関係を示すものである。
【発明の効果】
【００１５】
請求項１の発明では、コード化手段により、決済を取り消して払戻すための払戻情報とこの決済に使用した決済用記録媒体を特定する特定情報とが、払戻用コードとして暗号化してコード化される。そして、このようにコード化された払戻用コードが、表示手段により、携帯可能な媒体に光学的に読み取り可能に表示される。
【００１６】
これにより、決済用記録媒体に記録された金銭情報を利用した決済後に払戻しを受ける場合には、払戻情報および特定情報が暗号化してコード化された払戻用コードを、携帯可能な媒体に光学的に読み取り可能に表示することができる。そして、このように表示された払戻用コードを、光学的に読み取って解読するように構成されて入金機能を有する機器まで持参して当該機器に読み取らせることで、当該払戻用コードの払戻情報に応じた払戻し金額を、決済用記録媒体に入金することができる。特に、払戻用コードを読み取ることで特定情報が取得されるため、この特定情報と異なる決済用記録媒体への払戻しを禁止することで、払戻用コードの偽造や不正使用を防止することができる。また、払戻し金額を決済用記録媒体に入金することで、決済端末を使用する販売員に対して、払戻しのための現金の所持を不要とすることができる。
したがって、入金機能を有しない決済端末を使用しても、金銭情報を利用した決済後の払戻しに関する不正を抑制することができる。
【００１７】
請求項２の発明のように、決済用記録媒体としてＩＣカードを採用しても、上述のように表示された払戻用コードを、光学的に読み取って解読するように構成されて入金機能を有する機器に読み取らせることで、当該払戻用コードの払戻情報に応じた払戻し金額を、ＩＣカードに入金することができる。
【００１８】
請求項３の発明では、表示手段は、払戻用コードを、紙媒体に光学的に読み取り可能に印刷して表示するため、容易かつ低コストで払戻用コードを表示でき、払戻用コードの携帯性を向上させることができる。
【００１９】
請求項４の発明では、決済用記録媒体として、表示部を有し金銭情報を利用可能な携帯端末が採用される。そして、表示部は、払戻用コードを光学的に読み取り可能に表示する表示手段として機能する。これにより、紙媒体のように払戻用コードを表示させる媒体が不要となるので、払戻しに関する利便性を向上させることができる。
【００２０】
請求項５の発明では、端末側減額手段による減額の際に、端末側読取手段により払戻用コードが読み取られると、上記減額される決済用記録媒体と読み取られた払戻用コードの特定情報から特定される決済用記録媒体とが一致する場合に、当該払戻用コードの払戻情報に応じた払戻し金額が、端末側値引き手段により上記減額する金額から値引きされる。
【００２１】
これにより、払戻用コードを端末側読取手段により読み取って端末側解読手段にて解読することで、上述した払戻情報および特定情報が取得される。そして、端末側減額手段による減額の際、すなわち、商品の購入に応じて決済用記録媒体の金銭情報が減額される際には、この決済用記録媒体と上記特定情報から特定される決済用記録媒体とが一致する場合に、払戻情報に応じた払戻し金額が上記減額する金額から値引きされる。これにより、入金機能を有しない決済端末であっても、払戻しに相当する値引きを実施することができる。
【００２２】
請求項６の発明では、決済システムは、上記請求項１〜５のいずれか一項に記載の決済端末と入金機能を有する入金用機器とを有している。そして、入金用機器では、機器側読取手段により払戻用コードが読み取られたときに、当該払戻用コードの特定情報から特定される決済用記録媒体に対して、当該払戻用コードの払戻情報に応じた払戻し金額が、入金手段により機器側通信手段を利用して入金される。
【００２３】
これにより、入金用機器では、払戻用コードを機器側読取手段により読み取って機器側解読手段にて解読することで、上述した払戻情報および特定情報が取得される。そして、特定情報から特定される決済用記録媒体に対して、払戻情報に応じた払戻し金額が入金手段により入金されるので、この特定情報と異なる決済用記録媒体への払戻しが禁止されて、払戻用コードの偽造や不正使用を防止することができる。また、払戻し金額が決済用記録媒体に入金されるので、決済端末や入金用機器の使用者に対して、払戻しのための現金の所持を不要とすることができる。また、入金用機器の使用者は、払戻用コードを読み取る作業を実施するだけであり、払戻しに関する内容を吟味する必要もないので、入金用機器の使用者の払戻しに関する手間を減らすことができる。
【００２４】
請求項７の発明では、決済システムは、上記請求項１〜５のいずれか一項に記載の決済端末とこの決済用記録媒体に記録された金銭情報を利用した決済を行う決済用機器とを有している。そして、決済用機器では、機器側減額手段による減額の際に、機器側読取手段により払戻用コードが読み取られると、上記減額される決済用記録媒体と読み取られた払戻用コードの特定情報から特定される決済用記録媒体とが一致する場合に、当該払戻用コードの払戻情報に応じた払戻し金額が、機器側値引き手段により上記減額する金額から値引きされる。
【００２５】
これにより、決済用機器では、払戻用コードを機器側読取手段により読み取って機器側解読手段にて解読することで、上述した払戻情報および特定情報が取得される。そして、機器側減額手段による減額の際、すなわち、商品の購入に応じて決済用記録媒体の金銭情報が減額される際には、この決済用記録媒体と上記特定情報から特定される決済用記録媒体とが一致する場合に、払戻情報に応じた払戻し金額が上記減額する金額から値引きされるので、特定情報と異なる決済用記録媒体での値引きが禁止されて、払戻用コードの偽造や不正使用を防止することができる。特に、本発明に係る決済システムでは、決済用機器は入金機能を有する必要がないので、入金機能を有しない決済用の機器であっても決済用機器として採用することができる。また、購入金額から払戻し金額が値引きされるので、決済端末や決済用機器の使用者に対して、払戻しのための現金の所持を不要とすることができる。
【図面の簡単な説明】
【００２６】
【図１】第１実施形態に係る決済システムを概念的に説明する説明図である。
【図２】図１の決済端末の電気的構成を概略的に示すブロック図である。
【図３】第１実施形態における決済端末の制御部による決済処理の流れを例示するフローチャートである。
【図４】印刷部にて印刷された払戻し伝票を説明する説明図である。
【図５】第１実施形態におけるＰＯＳレジスタの制御部による払戻し処理の流れを例示するフローチャートである。
【図６】第２実施形態における決済端末の制御部による値引き処理の流れを例示するフローチャートである。
【図７】第３実施形態に係る決済システムを概念的に説明する説明図である。
【図８】第３実施形態における決済端末の制御部による決済処理の流れを例示するフローチャートである。
【発明を実施するための形態】
【００２７】
［第１実施形態］
以下、本発明の第１実施形態に係る決済端末および決済システムについて図を参照して説明する。図１は、第１実施形態に係る決済システム１０を概念的に説明する説明図である。
図１に示す決済システム１０は、商品の購入に関する決済を行う端末として、店舗Ｓ内に設置される据え置き型のＰＯＳレジスタ１１と、店舗Ｓ内から離れた販売エリアにて商品を販売する販売員（以下、店舗外販売員という）により携帯される携帯型の決済端末２０とを備えている。決済端末２０およびＰＯＳレジスタ１１は、現金だけでなくキャッシュカードやクレジットカードのような決済用記録媒体と非接触通信（無線通信）することで決済処理を行うように構成されている。そして、本第１実施形態では、上記決済用記録媒体として、非接触型のＩＣカードＣが採用されており、このＩＣカードＣは、プリペイド方式にて、金銭的価値を有する金銭情報として電子マネーを利用可能に構成されている。
【００２８】
まず、決済端末２０の構成について、図２を用いて説明する。図２は、図１の決済端末２０の電気的構成を概略的に示すブロック図である。
決済端末２０は、盗難等による不正入金を回避するために、決済用記録媒体への入金機能を有しない構成となっている。当該決済端末２０は、図２に示すように、その筐体内に、決済端末２０全体を制御する制御部２１を備えている。この制御部２１は、マイコンを主体として構成されるものであり、ＣＰＵ、システムバス、入出力インタフェース等を有しており、メモリ２２とともに情報処理装置を構成し得るもので決算処理等の情報処理機能を有している。また、制御部２１には、表示部２３、キー操作部２４および印刷部２５などが接続されている。
【００２９】
表示部２３は、例えば、液晶表示器などからなり、制御部２１によって制御される構成をなしており、制御部２１から表示処理等に関する指令を受けて動作するようになっている。また、キー操作部２４は、制御部２１に対して操作信号を与える構成をなしており、制御部２１は、これらからの操作信号を受けて操作信号の内容に応じた処理を行うようになっている。
【００３０】
印刷部２５は、携帯端末に備え付けられる公知のプリンタとして構成されており、制御部２１からの指令に応じて後述する払戻し伝票Ｒ等を印刷するように構成されている。なお、印刷部２５は、特許請求の範囲に記載の「表示手段」の一例に相当し得る。また、印刷部２５は、別部品で構成されるプリンタ等であってもよい。また、筐体内には、電源となるバッテリ２６や電源部２７が収容されており、これらによって制御部２１や各種電気部品に電力が供給されるようになっている。
【００３１】
また、制御部２１には、情報コード読取部３０およびＩＣカード通信部４０がそれぞれ接続されている。
情報コード読取部３０は、商品に付されたバーコード等の情報コードを光学的に読み取る機能を有するもので、画像認識モジュール３１を備えている。この画像認識モジュール３１は、照明光源や受光センサ（図略）等を備えており、照明光源からの照射光が情報コードにて反射され反射光が読取口を介して受光センサにて受光されると、この反射光に応じた受光信号を受光センサから制御部２１に出力するように構成されている。制御部２１では、この受光信号に基づいて情報コードの情報が取得されることとなる。なお、図１および図２では、商品Ｇに表示されたバーコードＢが、情報コード読取部３０により光学的に読み取られる状態を例示している。なお、情報コード読取部３０は、特許請求の範囲に記載の「端末側読取手段」の一例に相当し得る。
【００３２】
ＩＣカード通信部４０は、ＩＣカードリーダ制御部４１とＩＣカードリーダ通信部４２とアンテナ４３とを備えている。ＩＣカードリーダ制御部４１は、ＩＣカードリーダ通信部４２を制御することで当該ＩＣカードリーダ通信部４２およびアンテナ４３を介して、ＩＣカードＣとの間で電磁波による非接触通信（無線通信）を行ない、当該ＩＣカードＣに記憶される残高情報などの決済に関する決済関連情報を読み書き可能に機能するものである。なお、ＩＣカード通信部４０は、特許請求の範囲に記載の「端末側通信手段」の一例に相当し得る。
【００３３】
ＰＯＳレジスタ１１は、ＩＣカードＣに記録された電子マネーを利用した決済を行い当該ＩＣカードＣに対して入金機能を有する決済用機器であって、この入金機能に加えて上述した決済端末２０と同等の決済機能を有している。当該ＰＯＳレジスタ１１は、上記決済機能を実現するために、ＰＯＳレジスタ１１全体を制御し、後述する払戻し処理を実施するための制御部１２と、決済端末２０の情報コード読取部３０およびＩＣカード通信部４０と同等の機能を有するスキャナ１３およびＩＣカード通信部１４を備えている。このＰＯＳレジスタ１１には、払戻し処理において、スキャナ１３にて撮像した払戻用コード（後述する）を復号して解読するための所定の暗号鍵がメモリ等に予め記憶されている。なお、ＰＯＳレジスタ１１は、特許請求の範囲に記載の「入金用機器」の一例に相当する。また、スキャナ１３は、特許請求の範囲に記載の「機器側読取手段」の一例に相当し、ＩＣカード通信部１４は、特許請求の範囲に記載の「機器側通信手段」の一例に相当し得る。
【００３４】
次に、決済端末２０の制御部２１によるＩＣカードＣを利用した決済処理について、図３および図４を用いて説明する。図３は、第１実施形態における決済端末２０の制御部２１による決済処理の流れを例示するフローチャートである。図４は、印刷部２５にて印刷された払戻し伝票Ｒを説明する説明図である。
【００３５】
本実施形態にかかる決済処理では、決済端末２０を携帯する店舗外販売員が商品購入時に商品に付された情報コード（例えば、バーコード）を情報コード読取部３０にて撮像することで、図３に示す商品情報読取処理がなされ、撮像された情報コードが解読（デコード）されることで、購入商品に関する購入情報、商品名や購入代金等が取得される。なお、情報コード読取部３０による読み取りにより上記購入情報を取得することに限らず、例えば、キー操作部２４の操作に応じて直接入力される購入情報を取得してもよい。
【００３６】
次に、ステップＳ１０３に示す減額処理がなされる。この処理では、支払い用としてアンテナ４３近傍にかざされたＩＣカードＣと非接触通信することで、当該ＩＣカードＣに対して、その残高から上記購入金額が減額されるとともに、支払いに関する所定の情報が記憶される。なお、上記減額処理を実行する制御部２１は、特許請求の範囲に記載の「端末側減額手段」の一例に相当し得る。
【００３７】
そして、このように購入された商品の返品がなければ（Ｓ１０５でＮｏ）、上記商品情報読取処理からの処理が繰り返される。
【００３８】
一方、購入された商品の返品があると（Ｓ１０５でＹｅｓ）、ステップＳ１０７に示す返品情報読取処理がなされ、返品対象の商品に付された情報コードを情報コード読取部３０にて撮像して解読することで、返品対象の商品に関する情報が取得される。続いて、ステップＳ１０９に示すカード情報取得処理がなされる。この処理では、払戻し者が提示する返品対象の商品を購入した際のＩＣカードＣに記憶される購入履歴等が、ＩＣカード通信部４０により読み取られる。そして、ステップＳ１１１に示す判定処理にて、上述のように読み取った購入履歴に返品対象の商品を購入した履歴が含まれるか否かについて判定される。ここで、上記購入履歴に返品対象の商品を購入した履歴が含まれない場合には（Ｓ１１１でＮｏ）、後述する払戻用コード生成処理等の処理を実施することなく、本決済処理を終了する。
【００３９】
一方、上記購入履歴に返品対象の商品を購入した履歴が含まれる場合には（Ｓ１１１でＹｅｓ）、当該ＩＣカードＣが返品対象の商品を購入した際のＩＣカードであると判断されて、ステップＳ１１３に示す払戻用コード生成処理がなされる。この処理では、返品対象の商品を購入した際のＩＣカードＣを特定する特定情報、例えば、カード番号と、決済を取り消して払戻すための払戻情報、例えば、払戻し金額等とに基づいて、払戻用コードＱが生成される。当該払戻用コードＱは、上記払戻情報および特定情報を上記暗号鍵により復号可能に暗号化してコード化したＱＲコード（登録商標）として構成される。
【００４０】
具体的には、払戻用コードＱは、上記暗号鍵を用いることなく情報を取得可能な公開領域と、上記暗号鍵を用いることで暗号化された情報を復号して取得可能な非公開領域とを有するように構成されている。そして、公開領域には、例えば、払戻し金額、取引日時、伝票番号、店舗名および販売担当者名等が記録され、非公開領域には、例えば、ＩＣカード預り金額、ＩＣカード支払い金額、カード残高、カード番号、支払い時の決済端末を特定する端末ＩＤやカード取引通番等が記録されている。なお、払戻用コード生成処理を実施する制御部２１は、特許請求の範囲に記載の「コード化手段」の一例に相当し得る。
【００４１】
続いて、ステップＳ１１５に示す印刷処理がなされる。この処理では、上記払戻用コード生成処理にて生成された払戻用コードＱや払戻しに関する記載など印刷するための印刷情報が印刷部２５に出力される。この印刷情報に応じて印刷部２５により、図４に示すように、払戻用コードＱや払戻しに関する記載などが紙媒体に印刷して表示されることで払戻し伝票Ｒが発行される。
【００４２】
このように払戻し伝票Ｒが印刷されて発行されると、店舗外販売員は、印刷された払戻し伝票Ｒを、払戻しを受ける払戻し者に渡す。そして、払戻し者は、受け取った払戻し伝票ＲをＰＯＳレジスタ１１が設置される店舗Ｓ内に持ち込み、払戻し伝票Ｒとこの払戻し伝票Ｒの発行時に使用したＩＣカードＣとを店舗Ｓ内にて商品を販売する販売員（以下、店舗内販売員という）に渡す。払戻し伝票ＲおよびＩＣカードＣを受け取った店舗内販売員は、払戻し伝票Ｒに表示された払戻用コードＱをスキャナ１３を用いて撮像するともに、受け取ったＩＣカードＣをＩＣカード通信部１４にかざす。
【００４３】
これにより、ＰＯＳレジスタ１１の制御部１２では、払戻し伝票Ｒの払戻し金額に応じてＩＣカードＣに入金するための払戻し処理が実施される。この払戻し処理について、図５を用いて詳細に説明する。図５は、第１実施形態におけるＰＯＳレジスタ１１の制御部１２による払戻し処理の流れを例示するフローチャートである。
【００４４】
まず、ステップＳ２０１に示す解読処理がなされ、撮像された払戻用コードＱの公開領域に記録される払戻し金額等の情報が解読されるとともに、非公開領域に記録されるカード番号等の情報が上記暗号鍵を用いて解読される。なお、解読処理を実施する制御部１２は、特許請求の範囲に記載の「機器側解読手段」の一例に相当し得る。
【００４５】
次に、ステップＳ２０３に示す判定処理にて、払戻用コードＱから解読されるカード番号と、ＩＣカード通信部１４にて取得されたＩＣカードのカード番号とが一致するか否かについて判定され、一致しない場合には、同一カードでないとして、後述する入金処理を実施することなく、払戻し処理が終了する。
【００４６】
一方、払戻用コードＱから解読されるカード番号と、ＩＣカード通信部１４にて取得されたＩＣカードのカード番号とが一致する場合には（Ｓ２０３でＹｅｓ）、同一カードであるとして、ステップＳ２０５に示す入金処理がなされる。この処理では、ＩＣカード通信部１４を利用して、払戻用コードＱから解読された払戻し金額に応じてＩＣカードＣの残高が増額されるとともに当該払戻しに関する所定の情報がＩＣカードＣに書き込まれる。すなわち、本実施形態に係る払戻し処理では、支払いに使用したＩＣカードＣのみ、払戻しを受けることができる。なお、払戻し者は、返品直後に払戻し伝票Ｒを店舗外販売員に渡して払戻しをうけてもよいし、後日、払戻し伝票Ｒを店舗外販売員に渡して払戻しをうけてもよい。また、入金処理を実施する制御部１２は、特許請求の範囲に記載の「入金手段」の一例に相当し得る。
【００４７】
以上説明したように、本第１実施形態に係る決済端末２０では、購入された商品の返品があると、決済を取り消して払戻すための払戻情報とこの決済に使用したＩＣカードＣを特定するカード番号（特定情報）とが、払戻用コードＱとして暗号化してコード化される。そして、このようにコード化された払戻用コードＱが、印刷部２５により、払戻し伝票Ｒに光学的に読み取り可能に表示される。
【００４８】
これにより、ＩＣカードＣに記録された電子マネー（金銭情報）を利用した決済後に払戻しを受ける場合には、払戻情報および特定情報が暗号化してコード化された払戻用コードＱを、携帯可能な媒体として払戻し伝票Ｒに光学的に読み取り可能に表示することができる。そして、このように表示された払戻用コードＱを、ＰＯＳレジスタ１１まで持参して当該ＰＯＳレジスタ１１に読み取らせることで、当該払戻用コードＱの払戻情報に応じた払戻し金額を、ＩＣカードＣに入金することができる。特に、払戻用コードＱを読み取ることでカード番号（特定情報）が取得されるため、このカード番号と異なるＩＣカードへの払戻しを禁止することで、払戻用コードＱの偽造や不正使用を防止することができる。また、払戻し金額をＩＣカードに入金することで、決済端末２０を使用する販売員に対して、払戻しのための現金の所持を不要とすることができる。
したがって、入金機能を有しない決済端末２０を使用しても、金銭情報を利用した決済後の払戻しに関する不正を抑制することができる。
【００４９】
また、印刷部２５は、払戻用コードＱを、払戻し伝票Ｒとして紙媒体に光学的に読み取り可能に印刷して表示するため、容易かつ低コストで払戻用コードＱを表示でき、払戻用コードＱの携帯性を向上させることができる。
【００５０】
そして、決済システム１０は、上述のように構成される決済端末２０と入金機能を有するＰＯＳレジスタ１１とを有している。そして、ＰＯＳレジスタ１１では、スキャナ１３により払戻用コードＱが読み取られたときに、当該払戻用コードＱのカード番号（特定情報）から特定されるＩＣカードＣに対して、当該払戻用コードＱの払戻情報に応じた払戻し金額が、ＩＣカード通信部１４を利用して入金される。
【００５１】
これにより、ＰＯＳレジスタ１１では、払戻用コードＱをスキャナ１３により読み取って解読することで、上述した払戻情報およびカード番号（特定情報）が取得される。そして、カード番号から特定されるＩＣカードＣに対して、払戻情報に応じた払戻し金額が入金されるので、上述したように、カード番号と異なるＩＣカードへの払戻しが禁止されて、払戻用コードＱの偽造や不正使用を防止することができる。また、ＰＯＳレジスタ１１の使用者である店舗内販売員は、払戻用コードＱを読み取る作業を実施するだけであり、払戻しに関する内容を吟味する必要もないので、店舗内販売員の払戻しに関する手間を減らすことができる。
【００５２】
［第２実施形態］
次に、本第２実施形態に係る決済端末および決済システムについて、図６を参照して説明する。図６は、第２実施形態における決済端末２０の制御部２１による値引き処理の流れを例示するフローチャートである。
本第２実施形態では、上述のように発行される払戻し伝票Ｒを利用した値引き処理を実施することで、決済端末２０にて払戻しに相当する値引きが実施される点が、上記第１実施形態に係る決済端末と主に異なる。
【００５３】
以下、本第２実施形態における決済端末２０の制御部２１による値引き処理について、図６に示すフローチャートを用いて詳細に説明する。
上述のように印刷された払戻し伝票Ｒを受け取った払戻し者は、別の商品購入時に、払戻し伝票Ｒと、この払戻し伝票Ｒの発行時に使用したＩＣカードＣとを店舗外販売員に渡す。払戻し伝票ＲおよびＩＣカードＣを受け取った店舗外販売員は、払戻し伝票Ｒに表示された払戻用コードＱを情報コード読取部３０を用いて撮像するともに、受け取ったＩＣカードＣをＩＣカード通信部４０のアンテナ４３にかざす。
【００５４】
このようにして商品購入時に払戻用コードＱが撮像されると（ステップＳ３０１でＹｅｓ）、ステップＳ３０３に示す解読処理がなされ、撮像された払戻用コードＱの公開領域に記録される払戻し金額等の情報が解読されるとともに、非公開領域に記録されるカード番号等の情報が上記暗号鍵を用いて解読される。なお、解読処理を実施する制御部２１は、特許請求の範囲に記載の「端末側解読手段」の一例に相当し得る。
【００５５】
次に、ステップＳ３０５に示すカード情報取得処理がなされる。この処理では、アンテナ４３にかざされたＩＣカードＣのカード番号を読み取るための処理がなされる。続いて、ステップＳ３０７に示す判定処理にて、解読処理にて解読されたカード番号とカード情報取得処理にて読み取られたカード番号とが一致するか否かについて判定される。
【００５６】
ここで、両カード番号が一致する場合には（Ｓ３０７でＹｅｓ）、ステップＳ３０９に示す値引き金額を考慮した減額処理がなされる。この処理では、払戻し金額を購入金額から値引きした金額が、アンテナ４３にかざされたＩＣカードＣの残高から減額される。なお、値引き金額を考慮した減額処理を実施する制御部２１は、特許請求の範囲に記載の「端末側値引き手段」の一例に相当し得る。
【００５７】
一方、両カード番号が一致しない場合には（Ｓ３０７でＮｏ）、払戻用コードＱを利用した値引きが無効となり、ステップＳ３１１に示す値引き金額を考慮しない減額処理がなされる。この処理では、両カード番号が一致しないことから払戻用コードＱの不正利用を防止するため、払戻し金額を考慮することなく購入金額が、アンテナ４３にかざされたＩＣカードＣの残高から減額される。
【００５８】
以上説明したように、本第２実施形態に係る決済端末２０では、当該決済端末２０を利用したＩＣカードＣの減額の際に、情報コード読取部３０により払戻用コードＱが読み取られると、減額されるＩＣカードＣと読み取られた払戻用コードＱのカード番号（特定情報）から特定されるＩＣカードとが一致する場合に、当該払戻用コードＱの払戻情報に応じた払戻し金額が、上記減額する金額から値引きされる。
【００５９】
これにより、払戻用コードＱを情報コード読取部３０により読み取って解読することで、上述した払戻情報およびカード番号が取得される。そして、減額の際、すなわち、商品の購入に応じてＩＣカードＣの電子マネー（金銭情報）が減額される際には、このＩＣカードＣと上記カード番号から特定されるＩＣカードとが一致する場合に、払戻情報に応じた払戻し金額が上記減額する金額から値引きされる。これにより、入金機能を有しない決済端末であっても、払戻しに相当する値引きを実施することができる。
【００６０】
なお、上述した値引き処理は、ＰＯＳレジスタ１１にて実施するようにしてもよい。この場合、ＰＯＳレジスタ１１は、特許請求の範囲に記載の「決済用機器」として機能する。また、制御部１２は、上述した払戻し伝票Ｒを利用した値引き処理を実施することで、特許請求の範囲に記載の「機器側減額手段」および「機器側値引き手段」の一例として機能する。また、上述した値引き処理は、決済端末２０のように入金機能を有しない決済用機器にて実施されてもよい。
【００６１】
［第３実施形態］
次に、本第３実施形態に係る決済端末および決済システムについて、図７および図８を参照して説明する。図７は、第３実施形態に係る決済システム１０を概念的に説明する説明図である。図８は、第３実施形態における決済端末２０の制御部２１による決済処理の流れを例示するフローチャートである。
本第３実施形態では、上記決済用記録媒体として、非接触型のＩＣカードＣに代えて、携帯電話５０を採用する点が、上記第１実施形態に係る決済端末と主に異なる。
【００６２】
図７に示す携帯電話５０は、上述したＩＣカードＣと同様に、プリペイド方式にて、金銭的価値を有する金銭情報として電子マネーを利用可能に構成されており、ＩＣカードＣと同様にカード番号がメモリ等に記憶されている。すなわち、携帯電話５０の電子マネーを利用して、決済端末２０またはＰＯＳレジスタ１１にて商品を購入することができる。また、携帯電話５０は、液晶表示器等で構成される表示部５１を備えており、所定のアプリケーションを実行することで、決済端末２０から受信された払戻用コードＱを表示するための情報（以下、コード情報という）を利用して、当該払戻用コードＱを表示部５１に表示することができる。
【００６３】
次に、決済端末２０の制御部２１による携帯電話５０を利用した決済処理について、図８に示すフローチャートを用いて詳細に説明する。
上記第１実施形態と同様に、携帯電話５０を利用した商品の購入後にその返品があり（Ｓ１０５でＹｅｓ）、上記ステップＳ１０７に示す返品情報読取処理およびステップＳ１０９に示すカード情報取得処理がなされると、読み取った購入履歴に返品対象の商品を購入した履歴が含まれる場合に（Ｓ１１１でＹｅｓ）、上記ステップＳ１１３に示す払戻用コード生成処理がなされ、払戻用コードＱが生成される。続いて、ステップＳ１１５ａに示すコード情報送信処理がなされる。この処理では、払戻用コードＱためのコード情報が携帯電話５０に対して送信される。このように送信されるコード情報が携帯電話５０により受信されると、このコード情報を利用することで、当該携帯電話５０の表示部５１に払戻用コードＱが表示可能な状態となる。
【００６４】
そして、払戻し者は、携帯電話５０を、ＰＯＳレジスタ１１が設置される店舗Ｓ内に持ち込み、表示部５１に表示された払戻用コードＱがスキャナ１３によって読み取り可能であって、ＩＣカード通信部１４による非接触通信が可能な位置にかざす。
【００６５】
これにより、ＰＯＳレジスタ１１の制御部１２では、上述した払戻し処理が実施され、払戻用コードＱから解読されるカード番号と、ＩＣカード通信部１４にて取得された携帯電話５０のカード番号とが一致する場合に（Ｓ２０３でＹｅｓ）、上述した入金処理がなされる。
【００６６】
以上説明したように、本第３実施形態に係る決済端末２０では、決済用記録媒体として、表示部５１を有し電子マネー（金銭情報）を利用可能な携帯電話５０が採用される。そして、表示部５１は、払戻用コードＱを光学的に読み取り可能に表示する表示手段として機能する。これにより、上記第１実施形態のように、紙媒体のように払戻用コードＱを表示させる媒体が不要となるので、払戻しに関する利便性を向上させることができる。
【００６７】
なお、携帯電話５０の表示部５１の表示される払戻用コードＱを利用して、上記第２実施形態のように、値引き処理を実施してもよい。このようにしても、上記第２実施形態と同様の効果を奏する。
【００６８】
なお、本実施形態では、上記決済用記録媒体として携帯電話５０を採用しているが、おれに限らず、受信したコード情報に基づいて払戻用コードＱを表示可能な表示部を有し決済機能を有する携帯端末を、上記決済用記録媒体として採用してもよい。
【００６９】
なお、本発明は上記各実施形態に限定されるものではなく、以下のように具体化してもよい。
（１）上記第１，２実施形態では、決済用記録媒体としてＩＣカードＣが採用されているが、これに限らず、プリペイド方式にて、金銭的価値を有する金銭情報として電子マネーを利用可能に構成される決済用の記録媒体、例えば、携帯電話を決済用記録媒体として採用してもよい。
【００７０】
（２）上記第１，２実施形態では、払戻用コードＱは、印刷部２５により払戻し伝票Ｒとして紙媒体に光学的に読み取り可能に印刷して表示されることに限らず、例えば、携帯端末の表示部など、携帯可能な媒体に光学的に読み取り可能に表示されてもよい。
【符号の説明】
【００７１】
１０…決済システム
１１…ＰＯＳレジスタ（入金用機器，決済用機器）
１２…制御部（機器側解読手段，入金手段，機器側減額手段，機器側値引き手段）
１３…スキャナ（機器側読取手段）
１４…ＩＣカード通信部（機器側通信手段）
２０…決済端末
２１…制御部（端末側減額手段，コード化手段，端末側解読手段，端末側値引き手段）
２５…印刷部（表示手段）
３０…情報コード読取部（端末側読取手段）
４０…ＩＣカード通信部（端末側通信手段）
５０…携帯電話（決済用記録媒体，携帯端末）
５１…表示部（表示手段）
Ｂ…バーコード（商品に添付）
Ｇ…商品（売上対象商品）
Ｃ…ＩＣカード（決済用記録媒体）
Ｑ…払戻用コード
Ｒ…払戻し伝票（紙媒体）
Ｓ…店舗（店舗システム）
【図１】
0005747793.tif 000002
【図２】
0005747793.tif 000003
【図３】
0005747793.tif 000004
【図４】
0005747793.tif 000005
【図５】
0005747793.tif 000006
【図６】
0005747793.tif 000007
【図７】
0005747793.tif 000008
【図８】
0005747793.tif 000009